(57)【要約】【課題】利用者の快適性を維持しつつ、空調機器の消費電力を抑制することができる空調管理システムを提供する。【解決手段】空調管理システムは、空調機器が設けられた領域から出る利用者を特定する出側特定部と、領域の利用に関する利用者の予約情報を記憶した予約情報記憶部と、利用者が領域から出た際に、当該利用者の予約情報が当該領域以外の領域に設定されている場合は、当該領域に設けられた空調機器の出力レベルを下げる制御部と、を備えた。当該構成により、利用者の快適性を維持しつつ、空調機器の消費電力を抑制することができる。【選択図】図１
2014115053.tif 000002
【特許請求の範囲】
【請求項１】
空調機器が設けられた領域から出る利用者を特定する出側特定部と、
領域の利用に関する利用者の予約情報を記憶した予約情報記憶部と、
利用者が領域から出た際に、当該利用者の予約情報が当該領域以外の領域に設定されている場合は、当該領域に設けられた空調機器の出力レベルを下げる制御部と、
を備えたことを特徴とする空調管理システム。
【請求項２】
前記制御部は、利用者が領域から出た際に、当該利用者の予約情報が当該領域に設定されている場合は、当該領域に設けられた空調機器の出力レベルを維持することを特徴とした請求項１に記載の空調管理システム。
【請求項３】
前記制御部は、当該領域内にいる利用者の数に基づいて、当該領域に設けられた空調機器の出力レベルを設定することを特徴とする請求項１又は請求項２に記載の空調管理システム。
【請求項４】
前記制御部は、当該領域内にいる利用者の数が減るほど、当該領域に設けられた空調機器の風量設定を下げることを特徴とした請求項３に記載の空調管理システム。
【請求項５】
前記制御部は、当該領域内にいる利用者の数が減るほど、当該領域に設けられた空調機器の温度設定を上げることを特徴とした請求項３に記載の空調管理システム。
【請求項６】
前記制御部は、当該領域内にいる利用者の空調に関する嗜好に基づいて、当該領域に設けられた空調機器の出力レベルを設定することを特徴とする請求項１〜請求項５のいずれか一項に記載の空調管理システム。
【請求項７】
前記制御部は、当該領域内にいる利用者が寒がりであるほど、当該領域に設けられた空調機器の風量設定を下げることを特徴とした請求項６に記載の空調管理システム。
【請求項８】
前記制御部は、当該領域内にいる利用者が寒がりであるほど、当該領域に設けられた空調機器の温度設定を上げることを特徴とした請求項６に記載の空調管理システム。
【請求項９】
前記制御部は、現時点における季節に基づいて、当該領域に設けられた出力レベルを設定することを特徴とする請求項１〜請求項８のいずれか一項に記載の空調管理システム。
【請求項１０】
前記制御部は、現時点における季節の気温が低いほど、当該領域に設けられた空調機器の風量設定を下げることを特徴とする請求項９に記載の空調管理システム。
【請求項１１】
前記制御部は、現時点における季節の気温が低いほど、当該領域に設けられた空調機器の温度設定を上げることを特徴とする請求項９に記載の空調管理システム。
【発明の詳細な説明】
【技術分野】
【０００１】
この発明は、空調管理システムに関するものである。
【背景技術】
【０００２】
予約情報に基づいて空調機器を動作させる空調管理システムが提案されている。当該空調管理システムによれば、予約されていない時間帯においては、空調機器が停止する。このため、空調機器の消費電力を抑制することができる（例えば、特許文献１参照）。
【先行技術文献】
【特許文献】
【０００３】
【特許文献１】特開平８−２５６３８５号公報
【特許文献２】特許第３９６３９３７号公報
【特許文献３】特開２０１２−９３０２２号公報
【特許文献４】特開平８−２５６３８５号公報
【発明の概要】
【発明が解決しようとする課題】
【０００４】
しかしながら、特許文献１に記載のものにおいては、予約されている時間を過ぎた際に利用者が空調機器の設けられた領域を利用する場合であっても、空調機器が停止する。このため、利用者の快適性が損なわれる。
【０００５】
この発明は、上述の課題を解決するためになされたもので、利用者の快適性を維持しつつ、空調機器の消費電力を抑制することができる空調管理システムを提供することである。
【課題を解決するための手段】
【０００６】
この発明に係る空調管理システムは、空調機器が設けられた領域から出る利用者を特定する出側特定部と、領域の利用に関する利用者の予約情報を記憶した予約情報記憶部と、利用者が領域から出た際に、当該利用者の予約情報が当該領域以外の領域に設定されている場合は、当該領域に設けられた空調機器の出力レベルを下げる制御部と、を備えたものである。
【発明の効果】
【０００７】
この発明によれば、利用者の快適性を維持しつつ、空調機器の消費電力を抑制することができる。
【図面の簡単な説明】
【０００８】
【図１】この発明の実施の形態１における空調管理システムの構成図である。
【図２】この発明の実施の形態１における空調管理システムによる空調機器の風量制御を説明するための図である。
【図３】この発明の実施の形態１における空調管理システムによる空調機器の温度制御を説明するための図である。
【図４】この発明の実施の形態１における空調管理システムによる空調機器の設定手順を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における空調管理システムの構成図である。
【００１１】
図１において、各部屋等の各領域（図示せず）には、出入口（図示せず）が設けられる。各出入口には、認証装置１が設けられる。例えば、認証装置１は、タグリーダ等からなる。認証装置１は、利用者が携帯するタグ等に基づいて領域を出入りする利用者を監視する機能を備える。
【００１２】
各領域には、空調機器２が設けられる。空調機器２は、風量設定、温度設定等、空調に
関する各種の設定がなされるように形成される。
【００１３】
各認証装置１と各空調機器２は、空調管理システム３に接続する。
【００１４】
空調管理システム３は、入退室情報取得部３ａ、記憶部３ｂ、省エネ制御レベル演算部３ｃ、省エネ制御出力部３ｄを備える。
【００１５】
入退室情報取得部３ａは、入側特定部として、認証装置１の監視結果に基づいて各領域に入る利用者を特定する機能を備える。認証装置１は、出側特定部として、認証装置１の監視結果に基づいて各領域から出る利用者を特定する機能を備える。
【００１６】
記憶部３ｂは、季節情報記憶部として、季節情報４ａを予め記憶する機能を備える。記憶部３ｂは、予約情報記憶部として、領域の利用に関する利用者の予約情報４ｂを年間のスケジュールとして予め記憶する機能を備える。記憶部３ｂは、嗜好情報記憶部として、利用者の空調に関する嗜好情報４ｃを予め記憶する機能を備える。記憶部３ｂは、在室情報記憶部として、入退室情報取得部３ａによる利用者の特定結果に基づいて、当該領域内にいる利用者の数を含む在室情報４ｄを記憶する機能を備える。
【００１７】
省エネ制御レベル演算部３ｃは、制御部として、入退室情報取得部３ａによる利用者の特定結果、記憶部３ｂに記憶された季節情報４ａ、予約情報４ｂ、嗜好情報４ｃ、在室情報４ｄに基づいて、空調機器２の制御レベルの重みを演算する機能を備える。
【００１８】
省エネ制御出力部３ｄは、制御部として、省エネ制御レベル演算部３ｃに演算された重みに基づいて、空調機器２に対する出力レベルを省エネモードに応じて設定する機能を備える。
【００１９】
次に、図２を用いて、空調管理システム３による空調機器２の風量制御を説明する。
図２はこの発明の実施の形態１における空調管理システムによる空調機器の風量制御を説明するための図である。
【００２０】
図２の上段に示すように、１１時１５分において、空調機器２の風量は、１００％の出力に設定されている。部屋５には、３人の利用者６ａ〜６ｃが存在する。利用者６ａ〜６ｃの予約情報４ｂには、他の会議室での打ち合わせが１１時〜１２時に設定されている。
【００２１】
このとき、利用者６ｃが退室する。この際、入退室情報取得部３ａは、退室した利用者６ｃを特定する。省エネ制御レベル演算部３ｃは、利用者６ｃの予約情報４ｂを確認する。その結果、省エネ制御レベル演算部３ｃは、他の会議室での打ち合わせのために利用者６ｃが退室したと判定する。
【００２２】
この場合、図２の中段に示すように、省エネ制御レベル演算部３ｃは、部屋５に残った利用者６ａ、６ｂの数、利用者６ａ、６ｂの嗜好情報４ｃに基づいて、省エネ制御を開始する。具体的には、省エネ制御レベル演算部３ｃは、空調機器２の風量設定を８０％に下げる。
【００２３】
さらに、１１時２０分において、利用者６ｂが退室する。この際、入退室情報取得部３ａは、退室した利用者６ｂを特定する。省エネ制御レベル演算部３ｃは、利用者６ｂの予約情報４ｂを確認する。その結果、省エネ制御レベル演算部３ｃは、他の会議室での打ち合わせのために利用者６ｂが退室したと判定する。
【００２４】
この場合、図２の下段に示すように、省エネ制御レベル演算部３ｃは、部屋５に残った利用者６ａの数、利用者６ａの嗜好情報４ｃに基づいて、省エネ制御を開始する。具体的には、省エネ制御レベル演算部３ｃは、空調機器２の風量設定を５０％に下げる。
【００２５】
次に、図３を用いて、空調管理システム３による空調機器２の温度制御を説明する。
図３はこの発明の実施の形態１における空調管理システムによる空調機器の温度制御を説明するための図である。
【００２６】
図３の上段に示すように、１１時１５分において、空調機器２の温度は、２８℃に設定されている。部屋５には、３人の利用者６ａ〜６ｃが存在する。利用者６ａ〜６ｃの予約情報４ｂには、他の会議室での打ち合わせが１１時〜１２時に設定されている。
【００２７】
このとき、利用者６ｃが退室する。この際、入退室情報取得部３ａは、退室した利用者６ｃを特定する。省エネ制御レベル演算部３ｃは、利用者６ｃの予約情報４ｂを確認する。その結果、省エネ制御レベル演算部３ｃは、他の会議室での打ち合わせのために利用者６ｃが退室したと判定する。
【００２８】
この場合、図３の中段に示すように、省エネ制御レベル演算部３ｃは、部屋５に残った利用者６ａ、６ｂの数、利用者６ａ、６ｂの嗜好情報４ｃに基づいて、省エネ制御を開始する。具体的には、省エネ制御レベル演算部３ｃは、空調機器２の温度設定を２８．５℃に上げる。
【００２９】
さらに、１１時２０分において、利用者６ｂが退室する。この際、入退室情報取得部３ａは、退室した利用者６ｂを特定する。省エネ制御レベル演算部３ｃは、利用者６ｂの予約情報４ｂを確認する。その結果、省エネ制御レベル演算部３ｃは、他の会議室での打ち合わせのために利用者６ｂが退室したと判定する。
【００３０】
この場合、図３の下段に示すように、省エネ制御レベル演算部３ｃは、部屋５に残った利用者６ａの数、利用者６ａの嗜好情報４ｃに基づいて、省エネ制御を開始する。具体的には、省エネ制御レベル演算部３ｃは、空調機器２の温度設定を２９℃に上げる。
【００３１】
次に、図４を用いて、空調管理システム３による空調機器２の設定手順を説明する。
図４はこの発明の実施の形態１における空調管理システムによる空調機器の設定手順を説明するためのフローチャートである。
【００３２】
ステップＳ１では、省エネ制御レベル演算部３ｃは、入退室情報取得部３ａによる利用者の特定結果に基づいて、利用者が退室した否かを判定する。利用者が退室していない場合は、動作が終了する。利用者が退室している場合は、ステップＳ２に進む。
【００３３】
ステップＳ２では、当該利用者の予約情報４ｂにおいて現時点の退室が設定されているか否かを判定する。現時点での退室が設定されていない場合は、動作が終了する。現時点での退室が設定されている場合は、ステップＳ３に進む。
【００３４】
ステップＳ３では、省エネ制御レベル演算部３ｃは、省エネモードが風量制御モード又は温度制御モードであることを確認する。その後、ステップＳ４に進み、省エネ制御レベル演算部３ｃは、在室情報４ｄ、嗜好情報４ｃを確認する。
【００３５】
その後、ステップＳ５に進み、省エネ制御レベル演算部３ｃは、在室情報４ｄ、嗜好情報４ｃ等に基づいて空調機器２の制御レベルの重みを演算する。その後、ステップＳ６に進み、省エネ制御出力部３ｄは、省エネ制御レベル演算部３ｃにより演算された風量の出力設定又は温度設定に対応した情報を出力する。その後、ステップＳ７に進み、当該情報に対応した設定が空調機器２になされる。
【００３６】
以上で説明した実施の形態１によれば、利用者が領域から出た際に、当該利用者の予約情報４ｂが当該領域以外の領域に設定されている場合は、当該領域に設けられた空調機器２の出力レベルが下がる。このため、空調機器２の消費電力を抑制することができる。
【００３７】
また、利用者が領域から出た際に、当該利用者の予約情報４ｂが当該領域に設定されている場合は、当該領域に設けられた空調機器２の出力レベルが維持される。すなわち、トイレに行くための退室等、一時的な退室の際には、空調機器２の出力レベルが維持される。このため、利用者の快適性を維持することができる。
【００３８】
また、利用者が領域から出なければ、当該利用者の予約情報４ｂが当該領域以外の領域に設定されていても、当該領域に設けられた空調機器２の出力レベルが維持される。このため、利用者の快適性を維持することができる。
【００３９】
また、当該領域内にいる利用者の数に基づいて、当該領域に設けられた空調機器２の出力レベルが設定される。具体的には、当該領域内にいる利用者の数が減るほど、当該領域に設けられた空調機器２の風量が下がる。当該領域内にいる利用者の人数が減るほど、当該領域に設けられた空調機器２の温度設定が上がる。このため、利用者の快適性をより適切に維持することができる。
【００４０】
また、嗜好情報４ｃに基づいて、当該領域に設けられた空調機器２の出力レベルを設定される。具体的には、当該領域内にいる利用者が寒がりであるほど、当該領域に設けられた空調機器２の風量を下げればよい。当該領域内にいる利用者が寒がりであるほど、当該領域に設けられた空調機器２の温度設定を上げればよい。この場合、利用者の快適性をより適切に維持することができる。
【００４１】
また、季節情報４ａに基づいて、当該領域に設けられた空調機器２の出力レベルを設定される。具体的には、現時点における季節の気温が低いほど、空調機器２の風量を下げればよい。現時点における季節の気温が低いほど、空調機器２の温度を上げればよい。この場合、利用者の快適性をより適切に維持することができる。
【００４２】
また、省エネモードとして、風量設定又は温度設定のいずれかが選択される。このため、環境、季節に合わせて、空調機器２を制御することができる。
【００４３】
なお、空調機器２の制御レベルの重みの演算方法は、省エネモードの種類に依存しない。このため、空調機器２の設定手順の自由度を増すことができる。例えば、図４において、省エネモードの確認の前に空調機器２の制御レベルの重みを演算してもよい。
【符号の説明】
【００４４】
１  認証装置、  ２  空調機器、  ３  空調管理システム、  ３ａ  入退室情報取得部、  ３ｂ  記憶部、  ３ｃ  省エネ制御レベル演算部、  ３ｄ  省エネ制御出力部、  ４ａ  季節情報、  ４ｂ  予約情報、  ４ｃ  嗜好情報、  ４ｄ  在室情報、  ５  部屋、  ６ａ〜６ｃ  利用者
【図１】
2014115053.tif 000003
【図２】
2014115053.tif 000004
【図３】
2014115053.tif 000005
【図４】
2014115053.tif 000006